【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
ワークアイテムトラッキングシステムの１つまたは複数のワークアイテムに影響するユーザアクションを統制する方法であって、
（Ａ）前記ワークアイテムトラッキングシステムの第１のワークアイテムに影響する、第１のユーザによる第１のユーザアクションに応答して、前記第１のユーザおよび／または前記第１のワークアイテムに対応する１つまたは複数のワークアイテムルールを判定する動作と、
（Ｂ）前記１つまたは複数の判定されたワークアイテムルールを解釈する動作と、
（Ｃ）前記１つまたは複数の判定されたワークアイテムルールの前記解釈に基づいて前記第１のユーザアクションに応答する動作と
を含むことを特徴とする方法。
【請求項２】
前記１つまたは複数の判定されたワークアイテムルールのうちの少なくとも１つは、前記第１のユーザまたは前記第１のユーザが属するユーザのグループに対応し、
前記動作（Ｂ）は、前記少なくとも１つの判定されたワークアイテムルールを解釈することを含むことを特徴とする請求項１に記載の方法。
【請求項３】
前記１つまたは複数の判定されたワークアイテムルールのうちの少なくとも１つは、ワークアイテムの内容に対応し、
前記動作（Ｂ）は、前記少なくとも１つの判定されたワークアイテムルールを解釈することを含むことを特徴とする請求項１に記載の方法。
【請求項４】
前記１つまたは複数の判定されたワークアイテムルールのうちの少なくとも１つは、ワークアイテムの１つまたは複数のプロパティに対応し、
前記動作（Ｂ）は、前記少なくとも１つの判定されたワークアイテムルールを解釈することを含むことを特徴とする請求項１に記載の方法。
【請求項５】
前記１つまたは複数の判定されたワークアイテムルールのうちの少なくとも１つは、プロダクトの少なくとも１つの態様に対応し、
前記動作（Ｂ）は、前記少なくとも１つの判定されたワークアイテムルールを解釈することを含むことを特徴とする請求項１に記載の方法。
【請求項６】
（Ｄ）ユーザが１つまたは複数のワークアイテムルールを定義することを可能にするユーザインタフェースを提供する動作
をさらに含むことを特徴とする請求項１に記載の方法。
【請求項７】
前記ワークアイテムトラッキングシステムは、論理階層に編成された複数のワークアイテムを備え、
第１のワークアイテムは、前記階層の第１のレベルに対応し、第２のワークアイテムは、前記第１のレベルに優先する前記階層の第２のレベルに対応し、
前記動作（Ａ）は、前記第１のワークアイテムに対応する第１のワークアイテムルールを判定することと、前記第２のワークアイテムに対応する第２のワークアイテムルールを判定することとをさらに含み、
前記動作（Ｂ）は、前記第１および第２のワークアイテムルールを解釈することと、前記第１のレベルに優先する前記階層の前記第２のレベルに少なくとも部分的に基づいて、前記第１のワークアイテムルールの前記解釈を前記第２のワークアイテムルールの前記解釈によってオーバーライドすることとを含むことを特徴とする請求項１に記載の方法。
【請求項８】
前記ワークアイテムトラッキングシステムは、少なくとも第１のネットワーク要素および１つまたは複数の通信媒体によって前記第１のネットワーク要素に接続された第２のネットワーク要素に渡って分散され、前記第１のネットワーク要素は、第１のモジュールを備え、前記第２のネットワーク要素は、第２のモジュールを備え、前記方法は、
（Ｄ）前記第１のモジュールが前記第１のワークアイテムに影響するユーザアクションを指定するユーザからの入力を受け取る動作
をさらに含み、前記動作（Ａ）〜（Ｃ）は、前記第１のモジュールによって実行され、前記方法は、
（Ｅ）前記第２のモジュールが前記１つまたは複数の判定されたワークアイテムルールを解釈する動作
をさらに含むことを特徴とする請求項１に記載の方法。
【請求項９】
ワークアイテムトラッキングシステムの１つまたは複数のワークアイテムに影響するユーザアクションを統制するシステムであって、
前記ワークアイテムトラッキングシステムの第１のワークアイテムに影響する、第１のユーザによる第１のユーザアクションに応答して、前記第１のユーザおよび／または前記第１のワークアイテムに対応する１つまたは複数のワークアイテムルールを判定し、前記１つまたは複数の判定されたワークアイテムルールを解釈し、前記解釈に基づいて前記第１のユーザアクションに応答する、第１のワークアイテムルールエンジンを備えることを特徴とするシステム。
【請求項１０】
前記１つまたは複数の判定されたワークアイテムルールのうちの少なくとも１つは、前記第１のユーザまたは前記第１のユーザが属するユーザのグループに対応し、
前記第１のワークアイテムルールエンジンは、前記少なくとも１つの判定されたワークアイテムルールを解釈するように動作することを特徴とする請求項９に記載のシステム。
【請求項１１】
前記１つまたは複数の判定されたワークアイテムルールのうちの少なくとも１つは、ワークアイテムの内容に対応し、
前記第１のワークアイテムルールエンジンは、前記少なくとも１つの判定されたワークアイテムルールを解釈するように動作することを特徴とする請求項９に記載のシステム。
【請求項１２】
前記１つまたは複数の判定されたワークアイテムルールのうちの少なくとも１つは、ワークアイテムの１つまたは複数のプロパティに対応し、
前記第１のワークアイテムルールエンジンは、前記少なくとも１つの判定されたワークアイテムルールを解釈するように動作することを特徴とする請求項９に記載のシステム。
【請求項１３】
前記１つまたは複数の判定されたワークアイテムルールのうちの少なくとも１つは、プロダクトの少なくとも１つの態様に対応し、
前記第１のワークアイテムルールエンジンは、前記少なくとも１つの判定されたワークアイテムルールを解釈するように動作することを特徴とする請求項９に記載のシステム。
【請求項１４】
ユーザが１つまたは複数のワークアイテムルールを定義することを可能にするユーザインタフェース
をさらに備えることを特徴とする請求項９に記載のシステム。
【請求項１５】
前記ワークアイテムトラッキングシステムは、論理階層に編成された複数のワークアイテムを備え、
第１のワークアイテムは、前記階層の第１のレベルに対応し、第２のワークアイテムは、前記第１のレベルに優先する前記階層の第２のレベルに対応し、
前記第１のワークアイテムルールエンジンは、前記第１のワークアイテムに対応する第１のワークアイテムルールを判定し、前記第２のワークアイテムに対応する第２のワークアイテムルールを判定するように動作し、
前記第１のワークアイテムルールエンジンは、前記第１および第２のワークアイテムルールを解釈し、前記第１のレベルに優先する前記階層の前記第２のレベルに少なくとも部分的に基づいて、前記第２のワークアイテムルールの前記解釈による前記第１のワークアイテムルールの前記解釈のオーバーライドを制御するように動作することを特徴とする請求項９に記載のシステム。
【請求項１６】
前記第１のワークアイテムルールエンジンは、第１のネットワーク要素に常駐し、前記第１のワークアイテムルールエンジンは、前記第１のユーザアクションを指定するユーザからの入力を受け取るように動作し、
１つまたは複数の通信媒体によって前記第１のネットワーク要素に接続された第２のネットワーク要素に常駐する第２のワークアイテムルールエンジンであって、前記第１のモジュールによって適用されるのと異なって前記１つまたは複数の判定されたワークアイテムルールを解釈するように動作する第２のワークアイテムルールエンジンをさらに備えることを特徴とする請求項９に記載のシステム。
【請求項１７】
コンピュータ読み取り可能な記録媒体に保管され、コンピュータによって実行された結果として、ワークアイテムトラッキングシステムの１つまたは複数のワークアイテムに影響するユーザアクションを統制するプロセスを実行するように前記コンピュータを制御するプログラムであって、前記プロセスは、
（Ａ）前記ワークアイテムトラッキングシステムの第１のワークアイテムに影響する、第１のユーザによる第１のユーザアクションに応答して、前記第１のユーザおよび／または前記第１のワークアイテムに対応する１つまたは複数のワークアイテムルールを判定する動作と、
（Ｂ）前記１つまたは複数の判定されたワークアイテムルールを解釈する動作と、
（Ｃ）前記１つまたは複数の判定されたワークアイテムルールの前記解釈に基づいて前記第１のユーザアクションに応答する動作と
を含むことを特徴とするプログラム。
【請求項１８】
前記プロセスは、
（Ｄ）ユーザが１つまたは複数のワークアイテムルールを定義することを可能にするユーザインタフェースを提供する動作
をさらに含むことを特徴とする請求項１７に記載のプログラム。
【請求項１９】
前記ワークアイテムトラッキングシステムは、論理階層に編成された複数のワークアイテムを備え、
第１のワークアイテムは、前記階層の第１のレベルに対応し、第２のワークアイテムは、前記第１のレベルに優先する前記階層の第２のレベルに対応し、
前記動作（Ａ）は、前記第１のワークアイテムに対応する第１のワークアイテムルールを判定することと、前記第２のワークアイテムに対応する第２のワークアイテムルールを判定することとをさらに含み、
前記動作（Ｂ）は、前記第１および第２のワークアイテムルールを解釈することと、前記第１のレベルに優先する前記階層の前記第２のレベルに少なくとも部分的に基づいて、前記第１のワークアイテムルールの前記解釈を前記第２のワークアイテムルールの前記解釈によってオーバーライドすることとを含むことを特徴とする請求項１７に記載のプログラム。
【請求項２０】
前記ワークアイテムトラッキングシステムは、少なくとも第１のネットワーク要素および１つまたは複数の通信媒体によって前記第１のネットワーク要素に接続された第２のネットワーク要素に渡って分散され、前記第１のネットワーク要素は、第１のモジュールを備え、前記第２のネットワーク要素は、第２のモジュールを備え、前記プロセスは、
（Ｄ）前記第１のモジュールが前記第１のワークアイテムに影響するユーザアクションを指定するユーザからの入力を受け取る動作
をさらに含み、前記動作（Ａ）〜（Ｃ）は、前記第１のモジュールによって実行され、前記プロセスは、
（Ｅ）前記第２のモジュールが前記１つまたは複数の判定されたワークアイテムルールを解釈する動作
をさらに含むことを特徴とする請求項１７に記載のプログラム。